(57)【特許請求の範囲】
【請求項１】
通気性シート、この通気性シート上に配置された枠部材、この枠部材内に位置する一部の前記通気性のシートに取付けるように収納された押し花、ドライフラワー、記念品等の飾り物、前記枠部材内に位置する他の部位の前記通気性のシート上にクッションシートを介して設けられた平面状の押し花、ドライフラワー、記念品等の飾り物および前記枠部材の上部を覆う透明板とからなる押し花等の飾り本体と、この押し花等の飾り本体を気密状態で収納する透明材製の防湿袋とからなることを特徴とする押し花等の飾り。
【請求項２】
通気性シート、この通気性シート上に配置されたクッション性を有する材質で少なくとも２個以上の透孔状の収納室を形成あるいは抜き取り形成できるように形成された枠部材、この枠部材の少なくとも１個以上の収納室内に位置する前記通気性のシートに取付けるように立体的に収納された押し花、ドライフラワー、記念品等の飾り物、前記枠部材の残りの収納室内の前記通気性のシート上にクッションシートを介してあるいは抜き取りしない部位に設けられた平面状の押し花、ドライフラワー、記念品等の飾り物および前記枠部材の上部を覆う透明板とからなる押し花等の飾り本体と、この押し花等の飾り本体を気密状態で収納する透明材製の防湿袋とからなることを特徴とする押し花等の飾り。
【請求項３】
通気性シート、この通気性シート上に配置されたクッション性を有する材質で少なくとも２個以上の透孔状の収納室を形成あるいは抜き取り形成できるように形成された枠部材、この枠部材の少なくとも１個以上の収納室内に位置する前記通気性のシートに取付けるように立体的に収納された押し花、ドライフラワー、記念品等の飾り物、前記枠部材の残りの収納室内の前記通気性のシート上にクッションシートを介してあるいは抜き取りしない部位に設けられた平面状の押し花、ドライフラワー、記念品等の飾り物、前記枠部材の上部を覆う透明板とからなる押し花等の飾り本体と、この押し花等の飾り本体を気密状態で収納する透明材製の防湿袋と、この防湿袋の前記枠部材の上部に位置する部位に前記少なくとも２個以上の透孔状の収納室の縁取りを行う縁取り枠体とからなることを特徴とする押し花等の飾り。
【請求項４】
上面に接着剤や粘着剤が塗布された通気性シート、この通気性シート上に配置されたクッション性を有する材質で少なくとも２個以上の透孔状の収納室を形成あるいは抜き取り形成できるように形成された枠部材、この枠部材の少なくとも１個以上の収納室内に位置する前記通気性のシートに取付けるように立体的に収納された生の花、押し花、ドライフラワー、記念品等の飾り物、前記枠部材の残りの収納室内の前記通気性のシート上にクッションシートを介してあるいは抜き取りしない部位に設けられた平面状の生の花、押し花、ドライフラワー、記念品等の飾り物、前記枠部材の上部を覆う透明板とからなる押し花等の飾り本体と、この押し花等の飾り本体を気密状態で収納する、前記通気性シート側に乾燥剤や脱酸素剤等の保存剤が位置するように収納した透明材製の防湿袋とからなることを特徴とする押し花等の飾り。
【請求項５】
通気性シート、この通気性シート上に配置された該通気性シートの外周部よりも外周部が外方へ突出する大きさのクッション性を有するスポンジ、ウレタン、発泡スチロールや段ボール等の材質で、少なくとも１個以上の透孔状の収納室を有する枠部材、この枠部材の少なくとも１個以上の収納室内に位置する前記通気性のシートに取付けるように立体的に収納された生の花、押し花、ドライフラワー、記念品等の飾り物、前記枠部材の残りの収納室内の前記通気性のシート上にスポンジ、ウレタン、発泡スチロール等のクッションシートを介して設けられた平面状の生の花、押し花、ドライフラワー、記念品等の飾り物、および前記枠部材の上部を覆う該枠部材の外周部よりも外周部が内側に位置する大きさの透明板とからなる押し花等の飾り本体と、この押し花等の飾り本体を気密状態で収納する前記通気性シート側に乾燥剤や脱酸素剤等の保存剤が位置するように収納した透明材製の防湿袋とからなることを特徴とする押し花等の飾り。
【発明の詳細な説明】
【０００１】
【発明の属する技術分野】
本発明は押し花、ドライフラワー、記念品等を額縁等に収納して飾ることができる押し花等の飾りに関する。
【０００２】
【従来の技術】
従来の押し花飾りはアルミ箔の上面に台紙と押し花を配置し、これらを覆うようにアクリル板を位置させ、該アクリル板の外周部と前記アルミ箔の外周部とを接着剤で密封状態に固定している。
【０００３】
【発明が解決しようとする課題】
従来の押し花飾りは内部に台紙や押し花が配置されたガラス板の外周部とアルミ箔の外周部とを接着剤で固定して密封しているが、接着剤で固定されるアルミ箔は柔らかく、接着部にしわが生じ、このしわによって密封状態を長期間保つことができないという欠点があるとともに、立体的に飾ることができず、手数がかかるという欠点があった。
【０００４】
本発明は以上のような従来の欠点に鑑み、立体的に飾ることができるとともに、容易に密封状態に加工することができる押し花等の飾りを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は通気性シート、この通気性シート上に配置された枠部材、この枠部材内に位置する一部の前記通気性のシートに取付けるように収納された押し花、ドライフラワー、記念品等の飾り物、前記枠部材内に位置する他の部位の前記通気性のシート上にクッションシートを介して設けられた平面状の押し花、ドライフラワー、記念品等の飾り物および前記枠部材の上部を覆う透明板とからなる押し花等の飾り本体と、この押し花等の飾り本体を気密状態で収納する透明材製の防湿袋とで押し花等の飾りを構成している。
【０００７】
また、本発明は通気性シート、この通気性シート上に配置されたクッション性を有する材質で少なくとも２個以上の透孔状の収納室を形成あるいは抜き取り形成できるように形成された枠部材、この枠部材の少なくとも１個以上の収納室内に位置する前記通気性のシートに取付けるように立体的に収納された押し花、ドライフラワー、記念品等の飾り物、前記枠部材の残りの収納室内の前記通気性のシート上にクッションシートを介してあるいは抜き取りしない部位に設けられた平面状の押し花、ドライフラワー、記念品等の飾り物および前記枠部材の上部を覆う透明板とからなる押し花等の飾り本体と、この押し花等の飾り本体を気密状態で収納する透明材製の防湿袋とで押し花等の飾りを構成している。
【０００８】
【発明の実施の形態】
以下、図面に示す実施の形態により、本発明を詳細に説明する。
【０００９】
図１ないし図６に示す本発明の第１の実施の形態において、１は額縁２等に収納することができる本発明の押し花等の飾りで、この押し花等の飾り１は押し花等の飾り物３を立体的に収納した押し花等の飾り本体４と、この押し花等の飾り本体４を気密状態で該押し花等の飾り本体４の背面に乾燥剤や脱酸素剤等の保存剤５が位置するように収納する透明材製の防湿袋６とで構成されている。
【００１０】
前記押し花等の飾り本体４は上面に接着剤や粘着剤７が塗布された通気性シート８と、この通気性シート８の上面に配置された少なくとも２個以上、本発明の実施の形態では４個の四角形状の透孔状の収納室９、９、９、９を有するクッション性を有するスポンジ、ウレタン、発泡スチロールや段ボール等の材質の枠部材１０と、この枠部材１０の収納室９、９、９、９内にそれぞれ位置する、前記通気性シート８の接着剤や粘着剤７に固定されるように収納された乾燥すればドライフラワーとなる生の花、押し花、ドライフラワー、記念品等の押し花等の飾り物３、３、３、３と、前記枠部材１０の上部を覆う四角部が弧状に形成された透明板１１とで構成されている。
なお、前記収納室９、９、９、９のスペースを保存剤５によって狭くなるのを防止するために、通気性シート８を押圧によって変形しないものを使用したり、通気性シート８と保存剤５との間に段ボールを介装しても良い。
【００１１】
前記防湿袋６は前記押し花等の飾り本体４が収納される大きさで、開口部１２がヒートシール等で密閉できるもので、かつしわが生じたりすることのない厚さの透明樹脂シートを用いて形成されたものが使用される。
【００１２】
上記構成の押し花等の飾り１は図１および図２に示すように、そのまま額縁２に収納して飾られる。
【００１３】
【発明の異なる実施の形態】
次に、図７ないし図４２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図７ないし図９に示す本発明の第２の実施の形態において、前記本発明の第１の実施の形態と主に異なる点は、四角形状の透孔状の収納室９Ａ、９Ａとハート形状の透孔状の収納室９Ｂ、９Ｂを形成した枠部材１０Ａと、この枠部材１０Ａの外周部よりも内側に外周部が位置する通気性シート８Ａと透明板１１Ａとを使用した押し花等の飾り本体４Ａを用いた点で、このように形成された押し花等の飾り本体４Ａを用いて構成した押し花等の飾り１Ａにしても、前記本発明の第１の実施の形態と同様な作用効果が得られる。
【００１５】
図１０ないし図１２に示す本発明の第３の実施の形態において、前記本発明の第１の実施の形態と主に異なる点は、１個の四角形状、ハート形状等、本発明の実施の形態ではハート形状の透孔状の収納室９Ｃを形成した枠部材１０Ｂを使用した押し花等の飾り本体４Ｂを用いた点で、このように形成された押し花等の飾り本体４Ｂを用いて構成した押し花等の飾り１Ｂにしても、前記本発明の第１の実施の形態と同様な作用効果が得られる。
【００１６】
図１３ないし図１５に示す本発明の第４の実施の形態において、前記本発明の第１の実施の形態と主に異なる点は、通気性シート８Ｂとしてフェルトあるいは小さな孔が形成された多孔板を用いて押し花等の飾り本体４Ｃを形成した点で、このように形成された押し花等の飾り本体４Ｃを用いて構成した押し花等の飾り１Ｃにしても、前記本発明の第１の実施の形態と同様な作用効果が得られる。
【００１７】
図１６ないし図１８に示す本発明の第５の実施の形態において、前記本発明の第２の実施の形態と主に異なる点は、上面に透明板１１の収納凹部１３を形成した枠部材１０Ｃを用いて押し花等の飾り本体４Ｄを形成した点で、このように形成された押し花等の飾り本体４Ｄを用いて構成した押し花等の飾り１Ｄにしても前記本発明の第２の実施の形態と同様な作用効果が得られる。
【００１８】
図１９ないし図２２に示す本発明の第６の実施の形態において、前記本発明の第１の実施の形態と主に異なる点は、４個の透孔状の収納室９、９、９、９を抜き取り形成できるように形成された枠部材１０Ｄを使用した押し花等の飾り本体４Ｅを用いた点で、このように形成された押し花等の飾り本体４Ｅを用いて構成した押し花等の飾り１Ｅにしても、前記本発明の第１の実施の形態と同様な作用効果が得られるとともに、枠部材１０Ｄの一部を抜き取り収納室９、９を形成し、該部位に立体的な押し花等の飾り物３を配置し、抜き取りしないクッションシート１０ａ、１０ａ、１０ａ、１０ａ部位に平面的な押し花等の飾り物３Ａを配置して飾ることができる。
【００１９】
図２３ないし図２５に示す本発明の第７の実施の形態において、前記本発明の第６の実施の形態と主に異なる点は、防湿袋６の上面に透孔状の収納室９、９、９、９の縁取りを行う縁取り枠体１４を接着固定した押し花等の飾り本体４Ｆを用いた点で、このように形成された押し花等の飾り本体４Ｆを用いて構成した押し花等の飾り１Ｆにしても、前記本発明の第６の実施の形態と同様な作用効果が得られるとともに、縁取り枠体１４で収納室９、９、９、９の縁取りを行うのでよりきれいに飾ることができる。
【００２０】
図２６ないし図２８に示す本発明の第８の実施の形態において、前記本発明の第６の実施の形態と主に異なる点は、枠部材１０Ｄの一部を抜き取り収納室９、９を形成した部位に複数枚の透明シート１５を用いて立体的に押し花を配置した押し花等の飾り物３Ｂを使用した押し花等の飾り本体４Ｇを用いた点で、このように形成された押し花等の飾り本体４Ｇを用いて構成した押し花等の飾り１Ｇにしても、前記本発明の第６の実施の形態と同様な作用効果が得られる。
【００２１】
図２９ないし図３１に示す本発明の第９の実施の形態において、前記本発明の第６の実施の形態と主に異なる点は、十字状の枠が残らないように外周枠とわずかに接続された４個のクッションシート１０ａ、１０ａ、１０ａ、１０ａを除去すると４個の透孔状の収納室９、９、９、９を形成できるように形成された枠部材１０Ｅを使用した押し花等の飾り本体４Ｈを用いた点で、このように形成された押し花等の飾り本体４Ｈを用いて構成した押し花等の飾り１Ｈにしても、前記本発明の第６の実施の形態と同様な作用効果が得られる。
【００２２】
図３２ないし図３４に示す本発明の第１０の実施の形態において、前記本発明の第９の実施の形態と主に異なる点は、４個のスポンジ、ウレタン、発泡スチロール等のクッションシート１０ａ、１０ａ、１０ａ、１０ａを収納した透孔状の収納室９Ｄを形成した段ボール材製の枠部材１０Ｆを使用した押し花等の飾り本体４Ｉを用いた点で、このように形成された押し花等の飾り本体４Ｉを用いて構成した押し花等の飾り１Ｉにしても、前記本発明の第９の実施の形態と同様な作用効果が得られる。
【００２３】
図３５ないし図３７に示す本発明の第１１の実施の形態において、前記本発明の第１０の実施の形態と主に異なる点は、通気性のシート８の各片の中央部が開口するようにアングル状の段ボール材製の枠片１０ｇ、１０ｇ、１０ｇ、１０ｇを固定して形成した枠部材１０Ｇを使用した押し花等の飾り本体４Ｊを用いた点で、このように形成された押し花等の飾り本体４Ｊを用いて構成した押し花等の飾り１Ｊにしても、前記本発明の第１０の実施の形態と同様な作用効果が得られる。
なお、本発明の実施の形態では図３７に示すようにわずかに接続された部位を除去することによりクッションシート１０ａとなる多数個のクッションシート材１６を使用することもできる。
また、棒状の段ボール材製の枠片を四角枠状に通気性のシート８に固定して形成した枠部材を用いてもよい。
【００２４】
図３８ないし図４０に示す本発明の第１２の実施の形態において、前記本発明の第１０の実施の形態と主に異なる点は、クッションシート１０ａ、１０ａを除去した透孔状の収納室９ｄ、９ｄの外周部を枠部材１７、１７で覆った点で、このように形成された押し花等の飾り本体４Ｋを用いて構成した押し花等の飾り１Ｋにしても、前記本発明の第１０の実施の形態と同様な作用効果が得られるとともに、防湿袋６内の空気を除去しても透明板１１の中央部がたわんだりするのを枠部材１７、１７によって効率良く防止することができる。
なお、本発明の実施の形態ではクッションシート１０ａ、１０ａの外周部を枠部材１７、１７で覆っても良く、また＋字状の枠部材を使用しても良い。
【００２５】
図４１および図４２に示す本発明の第１３の実施の形態において、前記本発明の第１０の実施の形態と主に異なる点は、合成樹脂材や木材等のクッション性の無い枠部材１０Ｈを使用した押し花等の飾り本体４Ｌを用いた点で、このように形成された押し花等の飾り本体４Ｌを用いて構成した押し花等の飾り１Ｌにしても、前記本発明の第１０の実施の形態と同様な作用効果が得られる。
【００２６】
図４３ないし図４７に示す本発明者が考えた押し花等の飾りにおいて、前記本発明の第１の実施の形態と主に異なる点は、押圧によって変形しない通気性シート８と、枠部材１０の外周部よりも外周部が外方に突出するとともに、該枠部材１０の上面に接着固定された透明板１１Ｂを用いた押し花等の飾り本体４Ｍと、この押し花等の飾り本体４Ｍの透明板１１Ｂの前記枠部材１０の外周部よりも外方に突出する部位に該枠部材１０を密閉状態で覆うように接着固定されたアルミ箔、防湿樹脂シート等の防湿シート１８とを用いた点で、このように形成された押し花等の飾り本体４Ｍや防湿シート１８を用いて構成した押し花等の飾り１Ｍにしても良い。
なお、この押し花等の飾りでは枠部材１０内の通気性のシート８に取付けるように立体的な押し花、ドライフラワー、記念品等の飾り物３を収納するものに付いて図４３ないし図４５で示したが、本発明はこれに限らず図４６に示すように枠部材１０内の通気性のシート８にクッションシート１０ａを介して平面状の押し花、ドライフラワー、記念品等の飾り物３Ａを設置したり、図４７に示すように枠部材１０内の通気性のシート８に立体的な飾り物３とクッションシート１０ａを介して平面状の飾り物３Ａとを設置しても良い。
【００２７】
図４８ないし図５１に示す本発明者が考えた押し花等の飾りにおいて、前記図４３ないし図４７の押し花等の飾りと主に異なる点は、上面が剥離シート２０で覆われた接着剤が塗布された枠部材１０Ｉ、この枠部材１０Ｉの上面の接着剤によって接着固定される該枠部材１０Ｉの外周部よりも外周部が外方に突出する透明板１１Ｂとを用いて形成した押し花等の飾り本体４Ｎと、この押し花等の飾り本体４Ｎの透明板１１Ｂの前記枠部材１０Ｉの外周部よりも外方に突出する部位に該枠部材１０Ｉを密封状態で覆うように接着固定されたアルミ箔、防湿樹脂シート等の防湿シート１８と、この防湿シート１８の下面外周部に、該防湿シート１８の接着固定部にしわが生じないように接着剤や粘着剤で枠状に固定したしわ防止板２１、２１、２１、２１とを用いた点で、このような押し花等の飾り本体４Ｎ、防湿シート１８、しわ防止板２１、２１、２１、２１を用いて構成した押し花等の飾り１Ｎにしても、前記図４３ないし図４７の押し花等の飾りと同様な作用効果が得られるとともに、しわ防止板２１、２１、２１、２１を枠部材１０Ｉの厚さ寸法とほぼ同じ厚さ寸法のものを使用することにより全体を所定の厚さ寸法に加工でき、額縁に容易に収納することができ、かつ防湿シート１８と透明板１１Ｂとの接着部分の密封状態を確実に長期間保つことができる。
【００２８】
【発明の効果】
以上の説明から明らかなように、本発明にあっては次に列挙する効果が得られる。
【００２９】
（１）通気性シート、この通気性シート上に配置された枠部材、この枠部材内に位置する一部の前記通気性のシートに取付けるように収納された押し花、ドライフラワー、記念品等の飾り物、前記枠部材内に位置する他の部位の前記通気性のシート上にクッションシートを介して設けられた平面状の押し花、ドライフラワー、記念品等の飾り物および前記枠部材の上部を覆う透明板とからなる押し花等の飾り本体と、この押し花等の飾り本体を気密状態で収納する透明材製の防湿袋とで構成されているので、枠部材内に押し花等の飾り物を立体的に配置することができる。
したがって、押し花等の飾り物を立体的に配置して、美観の向上を図ることができる。
【００３０】
（２）前記（１）によって、押し花等の飾り本体を透明材製の防湿袋に収納して密閉するだけで作ることができる。
したがって、誰でもが手数や訓練を要することなく楽しく作ることができる。
【００３１】
（３）前記（１）によって、枠部材をクッション性を有する材質で形成したものを使用すれば、防湿袋に収納する時に押し圧状態で収納することにより、防湿袋にしわがよることなく押し圧力を加えた状態で収納することができる。
したがって、額縁等にそのまま収納して使用することができる。
【００３２】
（４）請求項２、３、４、５は前記（１）〜（３）と同様な効果が得られるとともに、防湿袋を密閉するだけで乾燥剤や脱酸素剤等の保存剤によって押し花等の飾り物を長期間、変色したりすることなく保存することができる。
【００３３】
（５）前記（４）によって、枠部材に少なくとも２個以上の収納室を有しているので、異なる飾り物を収納して飾ることができる。
【図面の簡単な説明】
【図１】本発明の第１の実施の形態の使用状態の正面図。
【図２】図１の２−２線に沿う断面図。
【図３】本発明の第１の実施の形態の正面図。
【図４】本発明の第１の実施の形態の背面図。
【図５】図３の５−５線に沿う断面図。
【図６】本発明の第１の実施の形態の押し花等の飾り本体の分解図。
【図７】本発明の第２の実施の形態の正面図。
【図８】図７の８−８線に沿う断面図。
【図９】本発明の第２の実施の形態の押し花等の飾り本体の分解図。
【図１０】本発明の第３の実施の形態の正面図。
【図１１】図１０の１１−１１線に沿う断面図。
【図１２】本発明の第３の実施の形態の押し花等の飾り本体の分解図。
【図１３】本発明の第４の実施の形態の正面図。
【図１４】図１３の１４−１４線に沿う断面図。
【図１５】本発明の第４の実施の形態の押し花等の飾り本体の分解図。
【図１６】本発明の第５の実施の形態の正面図。
【図１７】図１６の１７−１７線に沿う断面図。
【図１８】本発明の第５の実施の形態の押し花等の飾り本体の分解図。
【図１９】本発明の第６の実施の形態の正面図。
【図２０】図１９の２０−２０線に沿う断面図。
【図２１】本発明の第６の実施の形態の押し花等の飾り本体の分解図。
【図２２】本発明の第６の実施の形態の枠部材の説明図。
【図２３】本発明の第７の実施の形態の使用状態の正面図。
【図２４】図２３の２４−２４線に沿う断面図。
【図２５】本発明の第７の実施の形態の縁取り枠体の説明図。
【図２６】本発明の第８の実施の形態の正面図。
【図２７】図２６の２７−２７線に沿う断面図。
【図２８】本発明の第８の実施の形態の押し花等の飾り本体の分解図。
【図２９】本発明の第９の実施の形態の正面図。
【図３０】図２９の３０−３０線に沿う断面図。
【図３１】本発明の第９の実施の形態の枠部材の説明図。
【図３２】本発明の第１０の実施の形態の正面図。
【図３３】図３２の３３−３３線に沿う断面図。
【図３４】本発明の第１０の実施の形態の枠部材の説明図。
【図３５】本発明の第１１の実施の形態の正面図。
【図３６】図３５の３６−３６線に沿う断面図。
【図３７】本発明の第１１の実施の形態の枠部材の説明図。
【図３８】本発明の第１２の実施の形態の正面図。
【図３９】図３８の３９−３９線に沿う断面図。
【図４０】本発明の第１２の実施の形態の枠部材の説明図。
【図４１】本発明の第１３の実施の形態の正面図。
【図４２】図４１の４２−４２線に沿う断面図。
【図４３】本発明者が考えた押し花等の飾りの正面図。
【図４４】図４３の４４−４４線に沿う断面図。
【図４５】本発明者が考えた押し花等の飾りの押し花等の飾り本体の分解図。
【図４６】本発明者が考えた押し花等の飾りの平面状の飾り物の収納説明図。
【図４７】本発明者が考えた押し花等の飾りの立体と平面状の飾り物の収納説明図。
【図４８】本発明者が考えた押し花等の飾りの正面図。
【図４９】図４８の４９−４９線に沿う断面図。
【図５０】本発明者が考えた押し花等の飾りの背面図。
【図５１】本発明者が考えた押し花等の飾りの枠部材の説明図。
【符号の説明】
１、１Ａ〜１Ｎ：押し花等の飾り、
２：額縁、
３、３Ａ、３Ｂ：押し花等の飾り物、
４、４Ａ〜４Ｎ：押し花等の飾り本体、
５：保存剤、            ６：防湿袋、
７：接着剤や粘着剤、
８、８Ａ、８Ｂ：通気性シート、
９、９Ａ、９Ｂ、９Ｃ、９Ｄ：収納室、
１０、１０Ａ〜１０Ｉ：枠部材、
１１、１１Ａ、１１Ｂ：透明板、
１２：開口部、          １３：収納凹部、
１４：縁取り枠体、      １５：透明シート、
１６：クッションシート材、
１７：枠部材、          １８：防湿シート、
１９：貼着面、          ２０：剥離シート、
２１：しわ防止板。
【図１】
0004137466.tif 000002
【図２】
0004137466.tif 000003
【図３】
0004137466.tif 000004
【図４】
0004137466.tif 000005
【図５】
0004137466.tif 000006
【図６】
0004137466.tif 000007
【図７】
0004137466.tif 000008
【図８】
0004137466.tif 000009
【図９】
0004137466.tif 000010
【図１０】
0004137466.tif 000011
【図１１】
0004137466.tif 000012
【図１２】
0004137466.tif 000013
【図１３】
0004137466.tif 000014
【図１４】
0004137466.tif 000015
【図１５】
0004137466.tif 000016
【図１６】
0004137466.tif 000017
【図１７】
0004137466.tif 000018
【図１８】
0004137466.tif 000019
【図１９】
0004137466.tif 000020
【図２０】
0004137466.tif 000021
【図２１】
0004137466.tif 000022
【図２２】
0004137466.tif 000023
【図２３】
0004137466.tif 000024
【図２４】
0004137466.tif 000025
【図２５】
0004137466.tif 000026
【図２６】
0004137466.tif 000027
【図２７】
0004137466.tif 000028
【図２８】
0004137466.tif 000029
【図２９】
0004137466.tif 000030
【図３０】
0004137466.tif 000031
【図３１】
0004137466.tif 000032
【図３２】
0004137466.tif 000033
【図３３】
0004137466.tif 000034
【図３４】
0004137466.tif 000035
【図３５】
0004137466.tif 000036
【図３６】
0004137466.tif 000037
【図３７】
0004137466.tif 000038
【図３８】
0004137466.tif 000039
【図３９】
0004137466.tif 000040
【図４０】
0004137466.tif 000041
【図４１】
0004137466.tif 000042
【図４２】
0004137466.tif 000043
【図４３】
0004137466.tif 000044
【図４４】
0004137466.tif 000045
【図４５】
0004137466.tif 000046
【図４６】
0004137466.tif 000047
【図４７】
0004137466.tif 000048
【図４８】
0004137466.tif 000049
【図４９】
0004137466.tif 000050
【図５０】
0004137466.tif 000051
【図５１】
0004137466.tif 000052